(57)【要約】【課題】例えばサッカー競技場などで広告等の表示を行うために使用される表示体において、表示機能に加えて十分な緩衝機能が得られるとともに、設置などの取り扱い性をよくする。【解決手段】表示内容を表示する長方形の表示シート２１と、表示シート２１を支持する支持体３１を備えた表示体１１において、支持体３１を、表示シート２１を支持する２枚の板状部３２と、板状部３２同士を連結し一体化する柔軟な屈曲部３３で構成する。板状部３２は発泡ウレタンなどで形成して、全体に弾力性を持たせるとともに軽くする。側面視三角形となる板状部３２同士の角度は、帯状のシートからなる連結部材５１を２枚の板状部３２の下部に掛け回して固定することで規制する。【選択図】図１
2016004185.tif 000002
【特許請求の範囲】
【請求項１】
表示内容を表示する表示シートと、該表示シートを支持する支持体を備えた表示体であって、
前記支持体が、前記表示シートを支持する少なくとも２枚の板状部と、前記板状部同士を連結し一体化する柔軟な屈曲部を有し、
前記板状部が弾力性を有する
表示体。
【請求項２】
前記板状部の表面に前記表示シートを着脱可能に取り付ける面ファスナの一方を備えた
請求項１に記載の表示体。
【請求項３】
前記屈曲部に取手が形成された
請求項１または請求項２に記載の表示体。
【請求項４】
前記屈曲部が２枚の前記板状部をこれら板状部の表面を面一にして並べたときに相対向する端面のうち表面側の角同士を連結するものである
請求項１から請求項３のうちいずれか一項に記載の表示体。
【請求項５】
前記面ファスナの一方に係止する面ファスナの他方を有するシート状の連結部材を備えた
請求項１から請求項４のうちいずれか一項に記載の表示体。
【請求項６】
前記屈曲部または前記板状部の端部に、別体の前記支持体を連結する連結手段を備えた
請求項１から請求項５のうちいずれか一項に記載の表示体。
【請求項７】
請求項１から請求項６のうちいずれか一項に記載の表示体に用いられる
支持体。
【請求項８】
請求項１から請求項６のうちいずれか一項に記載の表示体に用いられ、
前記支持体における前記面ファスナの一方に係止する面ファスナの他方を裏面に備えた
表示シート。
【請求項９】
柔軟材料で形成された
請求項８に記載の表示シート。
【発明の詳細な説明】
【技術分野】
【０００１】
この発明は、たとえば各種スポーツの競技場などで広告等の表示に好適に用いられる表示体に関し、より詳しくは緩衝機能を有する表示体に関する。
【背景技術】
【０００２】
スポーツ競技場で使用される表示体としては、たとえば下記特許文献１のケガ防止用ラバー付看板がある。
【０００３】
この看板は、表示板と、この表示板を支持し得る横に長い長方形板状のフレームと、このフレームを斜めに支える脚で構成されている。そしてフレームと脚の外周縁には、ブラケットを介してパイプが外周縁に平行に取り付けられており、このパイプを発泡プラスチック材等からなるクッション材で被覆している。
【０００４】
この構成により、選手等が看板に強く接触してもケガの発生を少なくできるという効果が得られる。
【先行技術文献】
【特許文献】
【０００５】
【特許文献１】特許第２７９６２６２号公報
【発明の概要】
【発明が解決しようとする課題】
【０００６】
しかし、緩衝機能を有するのは看板の外周縁だけであり、フレームも脚も金属製であるので、看板の外周縁以外の部分、たとえば看板に対して正面から衝突した場合には、所望の効果は得られない。
【０００７】
またフレーム、脚及びパイプは金属製であるので重量があり、設置や撤去、移動などの取り扱に不便な場合があった。
【０００８】
そこでこの発明は、表示機能に加えて十分な緩衝機能が得られるとともに、設置などの取り扱い性をよくすることを主な目的とする。
【課題を解決するための手段】
【０００９】
そのための手段は、表示内容を表示する表示シートと、該表示シートを支持する支持体を備えた表示体であって、前記支持体が、前記表示シートを支持する少なくとも２枚の板状部と、前記板状部同士を連結し一体化する柔軟な屈曲部を有し、前記板状部が弾力性を有する表示体である。
【００１０】
支持体の板状部を見えやすい状態にして表示体を設置すると、板状部に支持された表示シートは例えば広告や得点などの必要な表示を行う。一方で、板状部の弾力性と屈曲部の柔軟性により、選手等が衝突したときには全体的に変形して衝撃を吸収する。また弾力性を有する板状部が金属製の場合に比べて軽量にできることと、板状部が屈曲部で一体化されていることによって、支持体の設置や撤去、移動などを容易にする。
【発明の効果】
【００１１】
この発明によれば、表示機能を有するのはもちろん、弾力性を有する板状部と柔軟な屈曲部を有する支持体によって十分な緩衝機能が得られる。また、複数枚の板状部の軽量さと一体性によって取り扱い性を良好にすることができる。
【図面の簡単な説明】
【００１２】
【図１】表示体の斜視図。
【図２】支持体の斜視図。
【図３】展開状態の支持体の表面を示す斜視図。
【図４】展開状態の支持体の裏面を示す斜視図。
【図５】支持体の折り曲げ態様を示す説明図。
【図６】連結部材の斜視図。
【図７】折りたたみ状態の支持体の斜視図。
【図８】表示体の側面図。
【図９】角度を変えた表示体の側面図。
【図１０】表示シートを外した状態の表示体の斜視図。
【図１１】支持体の連結状態の斜視図。
【図１２】他の例に係る連結手段を有する支持体の斜視図。
【図１３】他の例に係る連結手段を有する支持体の斜視図。
【図１４】他の例に係る表示体の斜視図。
【図１５】図１４の支持体の展開状態の表面を示す斜視図。
【図１６】図１４の支持体の折りたたみ状態を示す側面図。
【発明を実施するための形態】
【００１３】
この発明を実施するための一形態を、以下図面を用いて説明する。  
図１は表示体１１の斜視図であり、この表示体１１は例えばサッカーやアメリカンフットボール、ラグビー、フットサルなどの各種スポーツの競技場で広告や得点など、適宜の表示を行うためのもので、地面に設置して使用するのに適した構造である。
【００１４】
表示体１１は、表示シート２１と、この表示シート２１を支持する支持体３１と、支持体３１を側面視三角形状に保持する連結部材５１を備えている。支持体３１による表示シート２１の支持は着脱可能にするため面ファスナ６１（相互に係脱する面ファスナの一方６１ａと面ファスナの他方６１ｂ）で行う。
【００１５】
表示シート２１は、全体が柔軟な材料で形成され、左右方向に長い長方形である。表示シート２１の表面には、適宜の必要な表示２２がプリント等で形成される。表示内容が得点など、変化を要するものである場合には、たとえば表示シート２１として、樹脂に磁粉を混ぜ込んで形成したマグネットシートや樹脂に鉄粉を混ぜ込んで形成したシートを用い、この表示シート２１に対して、変化を要する表示を備えたカード状の別の表示シート（図示せず）を吸着可能にするとよい。
【００１６】
表示シート２１の裏面には、支持体３１に支持させるため、支持体３１に備えた面ファスナの一方６１ａに係止する面ファスナの他方６１ｂを備えている。面ファスナの他方６１ｂは、表示シート２１裏面の外周縁部全体に適宜幅で備えられている。
【００１７】
支持体３１は、表示シート２１を支持する２枚の板状部３２と、これら板状部３２同士を連結し一体化する柔軟な屈曲部３３を有している。
【００１８】
板状部３２は、支持体３１の斜視図である図２に示したように方形の板状である。具体的には板状部３２は、表示シート２１と同じ大きさの長方形で、たとえば５ｃｍ程度、あるいはそれ以上の適宜の厚みを有し、全体が弾力性を有する。
【００１９】
屈曲部３３は長方形をなす板状部３２の長辺同士を連結する。板状部３２の長辺のうち屈曲部３３と反対側の長辺部分が使用時に接地する接地部３４である。
【００２０】
板状部３２は、芯材となる板材３２ａを被覆材３２ｂで被覆して構成する。板材３２ａは長方形板状で、軽量で弾力性のある素材で形成される。これには例えばウレタン系、オレフィン系、ゴム系などの発泡体や、固綿などの繊維系クッションを使用できる。これにより板材３２ａは、外力を受けて変形すると元の形状に戻ろうとする弾力性を有するものとなる。
【００２１】
被覆材３２ｂは板材３２ａに対応する大きさで６面を有する袋状である。２枚の板状部３２は同じ大きさである。
【００２２】
板状部３２の表面３２ｃにおける外周縁部全体には、表示シート２１を着脱可能に取り付けるため、表示シート２１裏面の面ファスナの他方６１ｂに係止する面ファスナの一方６１ａを備えている。この面ファスナの一方６１ａの幅は、対となる面ファスナの他方６１ｂと十分な係合ができるように適宜設定される。
【００２３】
また支持体３１の展開状態の表面側を示す図３、支持体３１の展開状態の裏面側を示す図４に示したように、板状部３２の屈曲部３３を有する側の端面全体に、面ファスナの一方６２ａが固定されている。
【００２４】
板状部３２の裏面３２ｄの略中央部には、図４に示したように、板状部３２の表面３２ｃに備えた面ファスナの一方６１ａと同じ面ファスナの一方６３ａを有している。この面ファスナの一方６３ａは、適宜間隔をあけて左右方向に一対備えられる。
【００２５】
屈曲部３３は、２枚の板状部３２をこれら板状部３２の表面３２ｃを面一にして並べたときに相対向する端面のうち表面３２ｃ側の角同士を連結するものである。屈曲部３３は、板状部３２の被覆材３２ｂと同一材料で形成され、細幅帯状である。屈曲部３３の幅は、２枚の板状部３２の厚さに対応する寸法である。
【００２６】
このため支持体３１は、図５に示したように、板状部３２は裏面３２ｄ同士が近接する方向に曲げることも、表面３２ｃ同士が近接する方向に曲げることもできる。
【００２７】
この屈曲部３３の裏面全体には、図４に示したように面ファスナの他方６２ｂが固定されている。この面ファスナの他方６２ｂは、板状部３２の屈曲部３３を有する側の端面全体に固定した面ファスナの一方６２ｂに対して係止するものである。
【００２８】
屈曲部３３は板状部３２の長辺の端から端までの長さであり、長手方向に沿って複数の取手３５を有している。この例では、一対の長穴からなる取手３５を３個形成している。取手３５は別の部材を取り付けて形成してもよい。
【００２９】
また屈曲部３３の長手方向端部には、別体の支持体３１を連結する連結手段としての連結穴３６が形成されている。
【００３０】
連結部材５１は、適宜幅で柔軟な帯状のシートで形成され、２本備えられている。図６に示したように連結部材５１の片面の長手方向の両端部には、板状部３２の表面３２ｃに備えた面ファスナの一方６１ａに係止するとともに、板状部３２の裏面３２ｄに備えた面ファスナの一方６３ａに係止する面ファスナの他方６４ｂを有している。連結部材５１の他面における長手方向の両端部、つまり面ファスナの他方６４ｂと背中合わせになる部分には、板状部３２の表面３２ｃに備えた面ファスナの一方６１ａと同じ面ファスナの一方６４ａを有している。
【００３１】
このような連結部材５１の長さは、つぎの条件を満たす長さである。すなわち、連結部材５１の両端部の面ファスナの他方６３ｂを、図２に示したように板状部３２の表面３２ｃの面ファスナの一方６１に係止して、２枚の板状部３２の設置部３４側に回して板状部３２同士のなす角度を６０度程度とすることが可能であること。２枚の板状部３２の表面３２ｃ同士が当接するように重ねて板状部３２の裏面３２ｄを外に出して、図７に示したように、２枚の板状部３２の裏面３２ｄに備えた左右一対の面ファスナの一方６３ａのうちの左方同士、または右方同士を連結部材５１の両端部の面ファスナの他方６４ｂを係合して板状部３２の左端または右端に掛け回したときに、板状部３２の重ね合わせ状態を保持できること。これらの条件を満たすように、板状部３２の裏面３２ｄの一対の面ファスナの一方６３ａの間隔と共に、連結部材５１の長さが設定される。
【００３２】
また、連結部材５１の長手方向の両側寄りの部位に、設置するグランド面に対する固定のためのペグなどの固定具（図示せず）を挿入する複数の固定穴５２を有している。
【００３３】
以上のように構成された表示体１１の支持体３１を表示に使用するときには、まず、板状部３２の裏面３２ｄ同士が近接する方向に曲げる。つまり図２に示したように、屈曲部３３の裏面の面ファスナ６２ｂの他方を、これと対向する板状部３２の端面における面ファスナの一方６２ａに係止して、屈曲部３３を捲れ上がらないように止める。
【００３４】
つぎに、支持体３１を、屈曲部３３を介して連結されている２枚の板状部３２が傾斜して支え合う側面視三角形の姿勢にして、この状態を保持するため、連結部材５１を用いて板状部３２同士のなす角度が開かないように規制する。つまり、連結部材５１の両端部に備えた面ファスナの他方６４ｂを板状部３２の表面３２ｃの面ファスナの一方６１ａの上下方向の適宜位置に係止して、板状部３２の接地部３４に掛け回して、板状部３２同士の角度の開きを防止する。２本の連結部材５１は、板状部３２の長手方向の両端部、つまり左右両端部に固定する。通常の使用状態では、図８に示したように板状部３２同士のなす角度が６０度くらいになるようにするとよい。競技場の形状や競技の種類、使用目的などの状況によっては、図９に示したように、６０度よりも小さい角度とすることもできる。このようにすることで、状況に応じた適切な表示が行える。
【００３５】
支持体３１は、適宜の位置、たとえばグランドの端や、記者などの侵入を阻止する位置など目的に応じて設置する。設置に際しては、連結部材５１の固定穴５２に固定具を差し込む。このほか、重錘などを連結部材５１の上にのせてもよい。
【００３６】
そして、支持体３１の板状部３２に必要な表示シート２１を取り付ける。連結部材５１における板状部３２の表面３２ｃと同じ側の面に表れる部分には、板状部３２の表面３２ｃの面ファスナの一方６１ａと同じ面ファスナの一方６４ａを備えているので、連結部材５１の固定により表示シート２１の固定状態が劣化することを抑制できる。表示シート２１は板状部３２に対してあらかじめ固定しておいてもよい。
【００３７】
表示シート２１が長大である場合には、図１０に示したように複数の支持体３１を連結して使用する。連結は、図１１に示したように、支持体３１の屈曲部３３の連結穴３６に紐等の結束材３７を通して結束することで行い、必要数の支持体３１を連結する。屈曲部３３に連結穴３６を有するので、支持体３１の上端部で一体化ができ、この状態は連結部材５１の固定穴５２部分をグランド面に対して固定した時に保持されるので、簡素な構成ながらも良好な連結状態が得られる。
【００３８】
このように支持体３１は連結して使用できるので、言い換えれば、支持体３１が長大になることを防止できる。つまり支持体３１を持ち運びしやすい大きさとすることができる。
【００３９】
表示シート２１は支持体３１に対して面ファスナ６１を介して着脱可能に取り付ける構成であるので、表示シート２１の変更が容易であるとともに、１個の支持体で多様な表示をすることもできる。
【００４０】
設置時において、表示シート２１はその表示２２を見えるように示す。特に連結部材５１によって、前述のように板状部３２の角度を調整できるので、表示シート２１をより見やすくすることが状況に応じてできるので、高い表示機能を発揮できる。
【００４１】
一方、表示体１１に選手などが衝突した場合には、支持体３１と表示シート２１が全体的に柔軟に変形するので、十分な緩衝機能を発揮し、選手等を保護することができる。
【００４２】
表示体１１を使用しないとき、つまり収納や運搬等に際しては、まず、板状部３２の表面３２ｃ同士が近接する方向に曲げる。図７に示したように、屈曲部３３の裏面が露出して上に突出した形態になって、取手３５に手をかけやすい状態となる。
【００４３】
つぎに、板状部３２の表面３２ｃ同士を重ね合わせて、２本の連結部材５１で、板状部３２の重ね合わせ状態を保持する。つまり、２枚の板状部３２の裏面３２ｄに形成された左右一対の面ファスナの一方６３ａのうち片方側同士に連結部材５１の両端部の面ファスナの他方６４ｂを固定して、重ね合わせた板状部３２の左右方向の端を拘束する。同様に、左右一対の面ファスナの一方６３ａのうち他方側同士にも連結部材５１の両端部の面ファスナの他方６４ｂを固定する。これによって、２枚の板状部３２を重ね合わせた状態が保持できる。
【００４４】
持ち運びに際しては取手３５に手を入れて持ち上げればよく、板状部３２のほとんどの部分は発泡ウレタンで構成されているので軽量である。また連結部材５１で板状部３２をまとめているので移動中にばたついたりすることも防止できる。このため、持ち運びは容易に行える。
【００４５】
取手３５は長穴で形成したが、屈曲部３３の裏面全体に面ファスナの他方６２ｂを備えているので、取手３５の強度を高める効果もあり、面ファスナの他方６２ｂを備えない場合と比較して持ちやすいという効果も得られる。
【００４６】
また取手３５は屈曲部３３に形成したので屈曲部３３を有効利用でき、別途に取手を設ける必要がなく無駄がないうえに、屈曲部３３の位置ゆえに安定した持ちやすい状態とすることができる。
【００４７】
さらに、持ち運びを容易にする形態において、支持体３１の板状部３２の表面３２ｃが内側に隠れた状態となるので、面ファスナの一方６１ａを異物の付着から保護できるとともに、表示シート２１を取り付けている場合には表示シート２１を損傷から保護できる。
【００４８】
加えて、表示体の使用時と非使用時の相互間の変形作業は、支持体３１が軽量である上に２枚の板状部３２が柔軟な屈曲部３３を介して一体であるので、容易である。そして使用時と非使用時の形状を保つ連結部材５１は帯状で、この連結部材５１を面ファスナで固定するだけで良いので、作業性はきわめて良好である。
【００４９】
しかも、支持体３１の使用時の形態を保持する連結部材５１は非使用時の形態を保持することに利用できるとともに、連結部材５１自体が柔軟シート材で形成されているので軽く、使用時、非使用時のいずれの場合においても嵩張らない。このため取扱い性が良好である。
【００５０】
以下、その他の例について説明する。この説明において、前述の構成と同一または類似する部位については同一の符号を付してその詳しい説明を省略する。
【００５１】
図１２は、別体の支持体を長手方向に連結する連結手段の他の例を示す斜視図である。この例の連結手段は、板状部３２の左右両側面に備えた面ファスナ６５で構成している。つまり、左右方向の両側面に、互いに係止する性質の面ファスナの一方６５ａと面ファスナの他方６５ｂを備えている。面ファスナの一方６５ａと面ファスナの他方６５ｂは側面の全面ではなく部分的に備えてもよい。面ファスナの組み合わせは、図１２に示したように支持体３１の左右方向の一方側をすべて面ファスナの一方６５ａとし、他方側をすべて面ファスナの他方６５ｂとするほか、２枚の板状部３２においてそれぞれ変えてもよい。
【００５２】
この面ファスナ６５で構成した連結手段を備えた場合には、支持体３１同士を連結する状態に突き合わせるだけで連結できる。
【００５３】
図１３も連結手段の他の例を示す斜視図である。この例の連結手段は、シート状の連結帯５５で構成している。連結帯５５は板状部３２左右方向の端面同士を当接した状態の板状部３２間を覆う大きさの生地で形成され、片面の全体には板状部３２表面３２ｃの面ファスナの一方６１ａに係止する面ファスナの他方６６ｂを、他面の全体には板状部３２表面３２ｃの面ファスナの一方６１ａと同じ面ファスナの一方６６ａを備えている。
【００５４】
この連結帯５５で構成した連結手段を備えた場合には、支持体３１同士を連結する状態に突き合わせてから連結帯５５で隣接する支持体３１同士を結合すれば連結できる。
【００５５】
図１４は、３枚の板状部３２を有する支持体３１を備えた表示体１１の例を示している。３枚の板状部３２を有する支持体３１は、いずれかの板状部を下にすれば前述のように地面に接地状態にして使用することもできるが、柱状体７１等に巻き付けた状態にして使用するのに好適である。
【００５６】
支持体３１は図１５に示したように３枚の板状部３２を共に表面を上にして並べ、これらの表面側の角同士の間を屈曲部３３で連結した構成で、基本的な構成は、前述した２枚の板状部３２を有した支持体３１と同じである。ただし、板状部３２が重なり合うように畳んだときに、図１６に示したように、すべての板状部３２の表面３２ｃが内側に隠れるように、２個の屈曲部３３のうち一個の屈曲部３３（３３ａ）の幅を他の屈曲部３３（３３ｂ）の幅よりも広く形成している。
【００５７】
また、連結部材を不要とするため、一方の端に位置して幅広の屈曲部３３（３３ａ）を備える板状部３２の反屈曲部３３側の端面における板状部３２の裏面３２ｄ側の角に閉鎖帯３８を備えている。閉鎖帯３８の裏面には面ファスナの他方６７ｂを備え、この面ファスナの他方６７ｂが係止する面ファスナの一方６７ａを、他方の端に位置して幅狭の屈曲部３３（３３ｂ）を備える板状部３２の反屈曲部３３側の端面と幅狭の屈曲部３３（３３ｂ）の表面に備えている。
【００５８】
このように構成した支持体は、使用するときには板状部３２を広げて、柱状体７１等に巻き付けるようにして、閉鎖帯７１を用いて両端の板状部３２同士を結合して閉じる。一方、使用しないときには、幅広の屈曲部３３（３３ａ）を備える板状部３２を、それらの表面３２ｃが内側に向くように折り重ねるとともに、これらの間に他の板状部３２を挟み込む。幅広の屈曲部３３（３３ａ）を上にすると持ち運び時に持つ部分として使用できる。また幅狭の屈曲部３３（３３ｂ）の面ファスナの一方６７ａに閉鎖帯３８の面ファスナの他方６７ｂを係合して、３枚の板状部３２の重ね合わせ状態を保持する。
【００５９】
この発明の構成と、前述の構成との対応において、  
この発明の連結手段は、前述の連結穴３６、面ファスナ６５、連結帯５５に対応するも、
この発明は前述の構成のみに限定されるものではなく、その他の構成を採用することができる。
【００６０】
たとえば、支持体の板状部の枚数は４枚以上としてもよく、屈曲部の形成位置や幅寸法は、板状部の枚数や組み方に応じて適宜設定される。
【００６１】
また板状部は、方形以外の形状であってもよい。
【００６２】
使用する面ファスナにあっては、雌雄別々のものを一組ものと使用するほか、雌雄同体のものを使用してもよい。
【００６３】
板状部と屈曲部は一体成形で形成することもできる。
【符号の説明】
【００６４】
１１…表示体
２１…表示シート
３１…支持体
３２…板状部
３３…屈曲部
３５…取手
３６…連結穴
５１…連結部材
５５…連結帯
６１ａ…面ファスナの一方
６１ｂ…面ファスナの他方
６４ｂ…面ファスナの他方
６５…面ファスナ
【図１】
2016004185.tif 000003
【図２】
2016004185.tif 000004
【図３】
2016004185.tif 000005
【図４】
2016004185.tif 000006
【図５】
2016004185.tif 000007
【図６】
2016004185.tif 000008
【図７】
2016004185.tif 000009
【図８】
2016004185.tif 000010
【図９】
2016004185.tif 000011
【図１０】
2016004185.tif 000012
【図１１】
2016004185.tif 000013
【図１２】
2016004185.tif 000014
【図１３】
2016004185.tif 000015
【図１４】
2016004185.tif 000016
【図１５】
2016004185.tif 000017
【図１６】
2016004185.tif 000018